(57)【特許請求の範囲】
【請求項１】
ガス通路内のガス流量を検出する流量検出部と、
前記流量検出部から出力された流量検出信号に基づいて、流量値を算出する流量演算部と、
ガスが使用されている期間における特定情報を取得する流量情報取得部と、
該流量情報取得部により得られる前記特定情報と前記流量演算部の前記流量値から、特定のガス器具を判別する器具判別部と、
前記流量値及び前記特定情報に所定の変化量をそれぞれ加算して、判定値を設定する特定事象判定値設定部と、
前記器具判別部により特定器具が判別されたとき、前記流量値と前記特定情報を監視し、監視値を出力する特定事象監視部と、
該特定事象監視部の前記監視値が前記特定事象判定値設定部の前記判定値を超えたとき、特定事象が発生したと判断する特定事象判定部と、
を備えた器具監視装置。
【請求項２】
前記流量情報取得部は、ガスが連続して使用されている時間を取得し、
前記器具判別部は、前記流量値とガス使用時間とからガス給湯器の使用有無を判別し、
前記器具判定部により前記ガス給湯器の使用ありと判別したとき、
前記特定事象判定値設定部は、前記流量値の増大変化分及び前記ガス使用時間の増大変化分をそれぞれ加算して、フィン詰まり判定値を設定し、
前記特定事象監視部は、前記監視値としてフィン詰まりに関連する前記流量値と前記ガス使用時間とを出力し、
前記特定事象判定部は、前記フィン詰まり判定値を、前記特定事象監視部の前記流量値と前記ガス使用時間とのいずれか一方が上回ったとき、フィン詰まりと判断する、請求項１記載の器具監視装置。
【請求項３】
前記特定事象判定値設定部は、前記流量値の増大変化分をそれぞれ複数段に分割して加算した前記フィン詰まり判定値を設定し、
前記特定事象判定部は、前記特定事象監視部の前記流量値を前記判定値と比較するとき、最小のフィン詰まり判定値から最大のフィン詰まり判定値になるに従い警告音を大きくすると共に、前記最大のフィン詰まり判定値において前記フィン詰まりを判定したときガスの供給を停止する、請求項２記載の器具監視装置。
【請求項４】
前記特定事象判定値設定部は、前記ガス使用時間の増大変化分をそれぞれ複数段に分割して加算した前記フィン詰まり判定値を設定し、
前記特定事象判定部は、前記特定事象監視部の前記ガス使用時間を前記判定値と比較するとき、最小のフィン詰まり判定値から最大のフィン詰まり判定値になるに従い警告音を大きくすると共に、前記最大のフィン詰まり判定値において前記フィン詰まりを判定したときガスの供給を停止する、請求項２記載の器具監視装置。
【請求項５】
ガス給湯器等の使用開始から前記フィン詰まりと判定された時点までの時間を計時し記憶する経過時間記憶手段を備えた、請求項２〜４のいずれか１項記載の器具監視装置。
【請求項６】
前記フィン詰まりの情報を表示する表示部を備えた、請求項２〜４のいずれか１項記載の器具監視装置。
【請求項７】
前記フィン詰まりの情報を外部に出力する通信手段を備えた、請求項２〜４のいずれか１項記載の器具監視装置。
【発明の詳細な説明】
【技術分野】
【０００１】
本発明は、都市ガスやＬＰガス等を利用するガス給湯機器やガス風呂釜等の熱交換器が、フィン詰り状態になったことをガスメータで検出する器具監視装置に関する。
【背景技術】
【０００２】
従来この種の安全装置では、ＣＯセンサー４０等をガス給湯器に設けることで熱交換器１６がフィン詰り状態になったことを検出するものがある（例えば特許文献１参照）。
【０００３】
具体的には図４に示すように、バーナー２２と、該バーナー２２への給気及び排気を行う燃焼ファン２４と、給気通路５０と、排気通路５２と、該排気通路５２に設けられた排気ガス中のＣＯ濃度を検出するＣＯ濃度検出部４０とを備えた燃焼装置において、前記給気通路５０に前記燃焼装置内の空気を吸引する穴６０を有する燃焼装置を提供することにより達成される。
【０００４】
即ち、給気通路５０は、一般的に、燃焼ファン２４の回転により室外からの空気のみを吸引しているが、燃焼室内４２の給気通路５０に穴６０をあけると、給気通路５０は前記室外の空気と共に燃焼室内４２の空気も吸引する。ここで、何らかの原因により燃焼室４２や排気通路内５２に穴６２があき、そこから排気ガスが燃焼装置内に漏れた場合、吸引される前記燃焼室内４２の空気には前記排気ガスが含まれる。
【０００５】
前記排気ガスを含んだ燃焼装置内の空気は、酸素濃度の低い排気ガスを含んでいるため前記室外の空気に比べ酸素濃度が低い。酸素濃度の低い空気により燃焼が行われると、ガスは不完全燃焼を起こし、ＣＯガスが発生する。
【０００６】
排気通路内５２には、ＣＯ濃度を検出するＣＯセンサー４０が設置されており、検知されたＣＯガスの濃度により、上述のように、燃焼ファン２４の回転を制御し、また、所定以上の濃度に達すると、燃焼が停止されるような制御が行われる。
【特許文献１】特許第３７４４６１８号公報
【発明の開示】
【発明が解決しようとする課題】
【０００７】
しかしながら、従来の監視装置では燃焼装置の排気通路５２に設けられたＣＯセンサー４０等によって排気ガス中のＣＯ濃度を検出し熱交換器１６がフィン詰り状態になったことを検出するので、ＣＯセンサー４０等を新たに設ける必要がありＣＯセンサー４０やＣＯセンサー取付けによるコストアップにつながっていた。また、従来の安全装置は燃焼器具毎にＣＯセンサー４０等を設ける必要が有るので、社会インフラとして全戸に普及させて問題の根絶を行うには限界があった。
【課題を解決するための手段】
【０００８】
上記課題を解決するために、本発明の器具監視装置は、ガス通路内のガス流量を検出する流量検出部と、前記流量検出部から出力された流量検出信号に基づいて、流量値を算出する流量演算部と、ガスが使用されている期間における特定情報を取得する流量情報取得部と、該流量情報取得部により得られる前記特定情報と前記流量演算部により算出された流量値から、特定のガス器具を判別する器具判別部と、前記流量値及び前記特定情報に所定の変化量をそれぞれ加算して、判定値を設定する特定事象判定値設定部と、前記器具判別部により特定器具が判別されたとき、前記流量値と前記特定情報を監視し、監視値を出力する特定事象監視部と、該特定事象監視部の前記監視値が前記特定事象判定値設定部の前記判定値を超えたとき、特定事象が発生したと判断する特定事象判定部と、を備える。
【０００９】
上記発明によれば、流量情報取得部によりガス器具の連続使用時間やガス流量値を時系列に関連付けてパターン化した流量情報や器具から送信される器具情報等の特定情報を取得し、器具判別部で特定のガス器具、例えばガス給湯器等、を判別することで、特定のガス器具が使用されたときに生じる特有の事象を、特定事象監視部で監視している流量情報の変化により把握することができ、別途センサーを設けることなく、ガスメータで得られる流量情報を利用して特定ガス器具の特有の不具合事象を軽微な段階で発見することができ、より高度な安全性の確保を実現できる。
【００１０】
例えば、ガス給湯器において、熱交換器を構成するフィンの隙間に堆積する埃によるフィン詰まりで熱効率が低下する事象を、ガスメータで得られる流量情報、流量値の増大側変化及びガス使用時間の増大側変化、を監視することで、容易に検出することができ、フィン詰まり状態で長時間継続して使用されたときのＣＯ発生事象を事前に検出することが可能となる。
【発明の効果】
【００１１】
本発明の器具監視装置は、別途センサーを設けることなく、ガスメータで得られる流量情報を利用して特定ガス器具の特有の不具合事象を軽微な段階で発見することができ、より高度な安全性の確保を実現できる。
【発明を実施するための最良の形態】
【００１２】
第１の発明は、ガス通路内のガス流量を検出する流量検出部と、前記流量検出部から出力された流量検出信号に基づいて、流量値を算出する流量演算部と、ガスが使用されている期間における特定情報を取得する流量情報取得部と、該流量情報取得部により得られる前記特定情報と前記流量演算部により算出された流量値から、特定のガス器具を判別する器具判別部と、前記流量値及び前記特定情報に所定の変化量をそれぞれ加算して、判定値を設定する特定事象判定値設定部と、前記器具判別部で特定器具が判別されたとき、前記流量値と前記特定情報を監視し、監視値を出力する特定事象監視部と、該特定事象監視部の前記監視値が前記特定事象判定値設定部の前記判定値を超えたとき、特定事象が発生したと判断する特定事象判定部と、を備える。
【００１３】
そして、流量情報取得部によりガス器具の連続使用時間やガス流量値を時系列に関連付けてパターン化した流量情報や器具から送信される器具情報等の特定情報を取得し、器具判別部で特定のガス器具、例えばガス給湯器等、を判別することで、特定のガス器具が使用されたときに生じる特有の事象を、特定事象監視部で監視している流量情報の変化により把握することができ、別途センサーを設けることなく、ガスメータで得られる流量情報を利用して特定ガス器具の特有の不具合事象を軽微な段階で発見することができ、より高度な安全性の確保を実現できる。
【００１４】
例えば、ガス給湯器において、熱交換器を構成するフィンの隙間に堆積する埃によるフィン詰まりで熱効率が低下する事象を、ガスメータで得られる流量情報、流量値の増大側変化及びガス使用時間の増大側変化、を監視することで、容易に検出することができ、フィン詰まり状態で長時間継続して使用されたときのＣＯ発生事象を事前に検出することが可能となる。
【００１５】
第２の発明は、特に、第１の発明において、前記流量情報取得部は、ガスが連続して使用されている時間を取得し、前記器具判別部は、前記流量値とガス使用時間とからガス給湯器の使用有無を判別し、前記器具判定部により前記ガス給湯器の使用ありと判別したとき、前記特定事象判定値設定部は、前記流量値の増大変化分及び前記ガス使用時間の増大変化分をそれぞれ加算して、フィン詰まり判定値を設定し、前記特定事象監視部は、前記監視値としてフィン詰まりに関連する前記流量値と前記ガス使用時間とを出力し、前記特定事象判定部は、前記フィン詰まり判定値を、前記特定事象監視部の前記流量値と前記ガス使用時間とのいずれか一方が上回ったとき、フィン詰まりと判断する。
【００１６】
そして、ガスメータで得られる流量情報であるガス流量値とガス使用時間を利用して、特定のガス器具であるガス給湯器の使用有無を判別するようにし、ガス給湯器の使用が判別されたとき、ガス給湯器の熱交換器を構成するフィンの隙間に堆積する埃によるフィン詰まりで熱効率が低下する事象を、ガスメータで得られる流量情報である、流量値の増大側変化及びガス使用時間の増大側変化、を監視することで、容易に検出することができ、フィン詰まり状態で長時間継続して使用されたときのＣＯ発生事象を事前に検出することが可能となる。
【００２１】
第５の発明は、特に、第２〜第４の発明において、前記特定事象判定値設定部は、前記流量値の増大変化分をそれぞれ複数段に分割して加算した前記フィン詰まり判定値を設定し、前記特定事象判定部は、前記特定事象監視部の前記流量値を前記判定値と比較するとき、最小のフィン詰まり判定値から最大のフィン詰まり判定値になるに従い警告音を大きくすると共に、前記最大のフィン詰まり判定値において前記フィン詰まりを判定したときガスの供給を停止する。
【００２２】
そして、熱交換器のフィン詰まりに伴い熱交換効率が低下する事象が発生すると、給湯器側では給湯温度を設定温度に保つべく燃焼量、つまりガス流量を増大させる。この熱交換効率の低下に伴うガス流量の増大側変化は、フィン詰まりの状態が進むに連れて徐々に大きくなり、最終的にはガス流量を増大側に変化させても給湯温度を設定温度に保つことができなくなり、かつ燃焼状態も悪化してＣＯが発生するような状況となる。本発明は、この事象を事前に検知し報知することで最悪の事態を回避するようにしたものであり、その具体的手段として、フィン詰まり判定値を複数段に分割して設定し、最小のフィン詰まり判定値から最大のフィン詰まり判定値になるに従い警告音を大きくしたり、異なる音に変えたりして、使用者に警告レベルを変化して知らしめ、それでも気付かず最大のフィン詰まり判定値でフィン詰まりを判定したときガスの供給を停止して、安全性を確保するようにしている。
【００２３】
第６の発明は、特に、第２〜第４の発明において、前記特定事象判定値設定部は、前記ガス使用時間の増大変化分をそれぞれ複数段に分割して加算した前記フィン詰まり判定値を設定し、前記特定事象判定部は、前記特定事象監視部の前記ガス使用時間を前記判定値と比較するとき、最小のフィン詰まり判定値から最大のフィン詰まり判定値になるに従い警告音を大きくすると共に、前記最大のフィン詰まり判定値において前記フィン詰まりを判定したときガスの供給を停止する。
【００２４】
そして、熱交換器のフィン詰まりに伴い熱交換効率が低下する事象が発生すると、給湯器側では給湯温度を設定温度に保つべくガスの供給を継続し、結果的にガス使用時間が増大したことになる。この熱交換効率の低下に伴うガス使用時間の増大側変化は、フィン詰まりの状態が進むに連れて徐々に大きくなり、最終的にはガス使用時間を増大側に変化させても給湯温度を設定温度に保つことができなくなり、かつ燃焼状態も悪化してＣＯが発生するような状況となる。本発明は、この事象を事前に検知し報知することで最悪の事態を回避するようにしたものであり、その具体的手段として、フィン詰まり判定値を複数段に分割して設定し、最小のフィン詰まり判定値から最大のフィン詰まり判定値になるに従い警告音を大きくしたり、異なる音に変えたりして、使用者に警告レベルを変化して知らしめ、それでも気付かず最大のフィン詰まり判定値でフィン詰まりを判定したときガスの供給を停止して、安全性を確保するようにしている。
【００２５】
第７の発明は、特に、第２〜第６の発明において、ガス給湯器等の使用開始から前記フィン詰まりと判定された時点までの時間を計時し記憶する経過時間記憶手段を備える。
【００２６】
そして、各需要家別にガス給湯器のフィン詰まりが発生する期間を把握することができるため、該期間を参考に定期的なメンテナンスを実施することで、器具の寿命を延長させることが可能となり、かつ不安全な事象発生を事前に回避することができる。
【００２７】
第８の発明は、特に、第２〜第６の発明において、前記フィン詰まりの情報を表示する表示部を備える。
【００２８】
そして、特定の事象、例えば熱交換器のフィン詰まり、が発生したことを使用者に知らせることができるため、不安全事象に至るまでにメンテナンス等、不具合を解消するための作業が必要であることを訴求することができる。
【００２９】
第９の発明は、特に、第２〜第６の発明において、前記フィン詰まりの情報を外部に出力する通信手段を備える。
【００３０】
そして、特定の事象、例えば熱交換器のフィン詰まり、が発生したとき、監視センター等の外部に通報することが可能であるため、不安全事象に至るまでにメンテナンス等、不具合を解消するための作業が必要であることを訴求することができる。
【００３１】
以下、本発明の実施の形態について、図面を参照しながら説明する。なお、この実施の形態によって本発明が限定されるものではない。
【００３２】
（実施の形態１）
図１は本発明の実施の形態１における器具監視装置の構成ブロック図である。
【００３３】
家庭内には、ガス供給路１０１に接続された超音波流量計１０２等で構成された流量検出部を経由した後の配管に接続され、供給されるガスをエネルギーとした器具Ａ、器具Ｂ、器具Ｃが設置されている。そして、このガス器具が使用されたときに流れるガス流量を流量検出部である超音波流量計１０２で検出する。なお、流量検出部の構成は超音波流量計に限定されるものではなく、流路内に熱線式センサーを設け流れにより変化するインピーダンスより流量を求めるものや、他の方式でもよいものである。本実施の形態では流量検出部に超音波流量計を用いたものについて説明する。
【００３４】
超音波流量計１０２は、ガス供給管１０１の経路中に接続され、超音波信号を用いてガス供給管１０１内のガス流により生じる伝搬時間差を求め、ガスの瞬時流量を計測するものである。
【００３５】
流量演算部１０３は、計測された瞬時流量を基に、所定期間毎の瞬時流量を平均した平均流量値を算出したり、瞬時流量を積算して積算流量値を算出したり、器具判別のための流量値のデータ処理をするなど、流量に関する各種演算を行うものである。
【００３６】
遮断弁１０４は、流量演算部１０３で求められる流量情報を制御部１０５で監視し、異常が検出されたとき制御部１０５からの駆動信号でガスの供給を遮断する。
【００３７】
次に、超音波流量計１０２及び流量演算部１０３の動作と、ガス器具の判別手段の詳細な説明を行う。
【００３８】
超音波流量計１０２の一例を図２に示すと、ガス供給管１０１に連通する矩形断面を持つ計測流路１０２ａを有し、この計測流路１０２ａの相対向する流路壁の上流側と下流側には、一対の超音波送受信器１０２ｂ、１０２ｃが配置されている。これらの超音波送受信器１０２ｂ、１０２ｃは、超音波伝搬経路が計測流路１０２ａを流動するガス流を斜めに横切るように設定され、交互に超音波を送受信させることによって、ガス流に対して順方向と逆方向に超音波の伝搬を行う。
【００３９】
このとき、超音波送受信器１０２ｂ、１０２ｃ間の距離、すなわち測定距離をＬ、ガス流に対する超音波伝搬経路の角度をφ、超音波送受信器１０２ｂ、１０２ｃの上流から下流への超音波伝搬時間をｔ１、下流から上流への超音波伝播時間をｔ２、音速をＣとすると、流速Ｖは以下の式により求められる。
【００４０】
Ｖ＝Ｌ／２ｃｏｓφ（（１／ｔ１）−（１／ｔ２））    …（１）
この流速Ｖと計測流路１０２ａの断面積とからガス流の瞬時流量を算出する。
【００４１】
瞬時流量の計測の時間間隔は、超音波の送受信が可能な範囲で設定できる。ガス器具により起動や制御により変化する時間が器具毎に異なるため、計測時間間隔を小さくすることは器具判別を瞬時に行う点では有利となるが、計測時間間隔を短くすると電池の消耗が大きくなる。
【００４２】
また、計測時間間隔が従来のガスメータで使用している膜式方式と同等の２桁オーダーの秒数間隔になると、流量変化を判断することが困難になる。そこで、本実施の形態では、２秒間隔の周期的な瞬時流量の計測を行い、この瞬時流量値を時系列に関連付けてパターン化することで、器具別の特徴的な流量変化が発生する期間の流量パターンを確認しガス器具を判別する。
【００４３】
なお、計測時間間隔は更に短くすることも可能である。例えば、ガス器具を判別する場合、その特徴的な流量変化を示すガス器具の起動後の所定期間は、計測精度を上げるために計測時間間隔を短くする等の制御を行ってもよい。
【００４４】
また、流量演算部１０３は、検出された瞬時流量を基に、所定期間毎に平均流量値を算出したり、瞬時流量を積算してガス流量を算出したり、器具判別のための流量値のパターン化処理を実行する等、流量情報を得るための各種演算を行う。
【００４５】
次に、ガス器具判定手段１０６の動作について、図３を用いて説明する。
【００４６】
ステップ１は器具判別動作の開始命令、ステップ２は流量計測命令、ステップ３は流量変化判断命令、ステップ４はインターバル設定命令、ステップ５は立上り波形作成命令、ステップ６は器具パターン比較判断命令、ステップ７はインターバル設定命令、ステップ８は器具特定命令である。
【００４７】
ステップ１の開始命令により器具判別動作のプログラムが開始する。ステップ２の流量計測命令により超音波流量計１０２による通常の流量計測が行われる。
【００４８】
ここで、器具Ａ、器具Ｂ、器具Ｃのいずれかが使用されると、流量変化が生じるが、この流量変化はステップ３の流量変化判断命令により判別され、ＹＥＳ側のフローによりステップ５の処理を実行する。
【００４９】
ステップ３の流量変化判断命令で、器具Ａ、器具Ｂ、器具Ｃの流量変化が立上りでない場合には、ＮＯ側のフローによりステップ４のインターバル設定命令にて設定された時間が経過したのち、再度、同様の動作が繰返される。
【００５０】
流量変化が各器具の立上りであると判定した場合には、ステップ５の立上り波形作成命令により所定周期で求められる瞬時流量を時系列で関連付けてパターン化した立上り波形が生成される。
【００５１】
次に、ステップ６の器具パターン比較判断命令で、予め登録されている器具別の立上りパターンとステップ５で生成された立上り波形が比較され、合致するものがあった場合にはステップ８の器具特定命令により使用器具を特定する。
【００５２】
このステップ６の器具パターン比較判断命令により合致しない場合には、ＮＯ側のフローによりステップ７のインターバル設定命令により定められた時間が経過した後、再度、上記の器具判別動作を繰返す。
【００５３】
以上のガス器具判定手段１０６の器具判別動作において、流量変化を判断する流量情報や器具別の特徴的な流量特性を確認するための立上り波形等の流量情報は、制御部１０５の流量データから流量情報取得部１０７が取得し、ガス器具判定手段１０６に送られる。
【００５４】
次に、監視対象器具登録手段１０８は、特定事象、例えばフィン詰まりの発生を監視するために予め記憶してある特定器具、例えばガス給湯器が、ガス器具判定手段１０６の器具判別動作により特定されたとき、特定事象判定部であるフィン詰まり判定手段１０９に監視動作の開始指令を出力する。
【００５５】
特定事象の監視動作開始指令が出力されると、フィン詰まり判定手段１０９は、制御部１０５で保持されている各種流量データのうち、特定事象、例えばフィン詰まりに関連するデータを特定事象監視部である流量情報監視部１１０が取得しフィン詰まり判定部１０９に送る。
【００５６】
ここでフィン詰まりに関連するデータとしては、ガス給湯器の熱交換器のフィン詰まりに伴い、熱交換効率が低下する事象が発生すると、給湯器側では給湯温度を設定温度に保つべく燃焼量、つまりガス流量を増大させたり、ガスの供給時間、つまりガス使用時間を延長する方向に制御する。
【００５７】
このガス流量の増大及び／又はガス使用時間の増大を監視することで、特定事象の一例であるフィン詰まりの状況を判断することができる。
【００５８】
なお、本実施の形態では特定事象であるフィン詰まり事象の監視情報としてガス流量及びガス使用時間を設定したが、この監視情報は特定事象に応じて適宜設定すればよい。
【００５９】
そして、流量情報監視部１１０からの監視情報は、特定事象判定値設定部であるフィン詰まり判定値設定部１１１から送られるフィン詰まり判定値と比較され、フィン詰まりの状況が判断される。このフィン詰まり判定値としては、フィン詰まり事象が発生したときの流量値の増大変化分及びガス使用時間の増大変化分をそれぞれ加算して設定する。
【００６０】
また、フィン詰まり判定値の設定方法として、流量値の増大変化分及び／又はガス使用時間の増大変化分をそれぞれ複数段に分割して加算して設定するようにしてもよい。
【００６１】
このように複数段にフィン詰まり判定値を設定することで、フィン詰まり判定手段１０９の判断として、最小のフィン詰まり判定値から最大のフィン詰まり判定値になるに従い警告手段１１８の警告音の大きさを変えたり、音の種類を変えたり、という変化させると共に、最大のフィン詰まり判定値でフィン詰まりを判定したときガスの供給を停止する、という処理を実行することができる。
【００６２】
以上の実施形態において、特定のガス器具が使用された場合における特定事象の発生の有無を判定することができ、その状況は制御部１０５を介して送られる報知信号により、警告手段１１８や表示部１１２で使用者に知らしめることができる。
【００６３】
また、通信手段１１３を介して宅内表示器１１４や監視センター１１５に報知することも可能であり、より高度な報知効果を上げることができる。
【００６４】
次に、ガス器具判定手段１０６における器具判別方法として、上記実施の形態では所定周期で計測される瞬時流量値を時系列に関連付けてパターン化することで、器具別の特徴的な流量変化が発生する期間の流量パターンを確認してガス器具を判別する方法について記載したが、これ以外の方法として、例えば、流量情報取得部１０７が制御部１０５の保持データのうち、ガスが連続して使用されている時間を取得するものとし、この情報をガス器具判定手段１０６に送ることで、ガス流量値とガス使用時間とからガス給湯器の使用有無を判別することができる。
【００６５】
また、別の方法として、流量情報取得部１０７は、器具Ｄ、器具Ｅ、器具Ｆより送信される器具情報を入力手段１１６を介して通信手段１１３に送信し、器具情報識別手段１１７で器具情報に含まれる識別コードより器具を判別し、特定のガス器具、例えばガス給湯器が判別されたとき、監視対象器具登録手段１０８にガス給湯器が使用されたことを登録する。
【００６６】
また、ガス給湯器等の使用開始からフィン詰りと判定した時点までの時間を計時し記憶する経過時間記憶手段１１９を備えることで、各需要家別にガス給湯器のフィン詰まりが発生する期間を把握することができるため、該期間を参考に定期的なメンテナンスを実施することで、器具の寿命を延長させることが可能となり、かつ不安全な事象発生を事前に回避することができる。
【産業上の利用可能性】
【００６７】
本発明の器具監視装置は、別途センサーを設けることなく、ガスメータで得られる流量情報を利用して特定ガス器具の特有の不具合事象を軽微な段階で発見することができるため、監視項目を特定するだけでガス器具全般における各種の不具合事象に対する監視動作に適用できる。
【図面の簡単な説明】
【００６８】
【図１】本発明の実施の形態１における器具監視装置の制御ブロック図
【図２】同器具監視装置の超音波流量計の概略構成図
【図３】同器具監視装置の器具判別手段の一例を示すフローチャート
【図４】従来のガス給湯器の構成図
【符号の説明】
【００６９】
１０２  超音波流量計（流量検出部）
１０３  流量演算部
１０５  制御部
１０６  ガス器具判定手段（器具判定部）
１０７  流量情報取得部
１０９  フィン詰まり判定部（特定事象判定部）
１１０  流量情報監視部（特定事象監視部）
１１１  フィン詰まり判定値設定部（特定事象判定値設定部）
【図１】
0005334283.tif 000002
【図２】
0005334283.tif 000003
【図３】
0005334283.tif 000004
【図４】
0005334283.tif 000005